(57)【要約】【課題】リパッキング後に使用されなくなった所定周波数を処理対象から除外する。【解決手段】デジタル放送受信装置は、地上波デジタル放送信号を受信するチューナと、受信された地上波デジタル放送信号のＯＦＤＭ復調を行い、ＭＰＥＧトランスポートストリームとして出力する復調器と、ＭＰＥＧトランスポートストリームをデコードし映像信号及び音声信号を出力すると共に、ＭＰＥＧシステムストリームを出力する復号器と、ＭＰＥＧシステムストリームに基づいて放送局を判別する放送局判別器と、放送局に関する情報を蓄積するチャンネルリスト蓄積器と、チューナに受信する地上波デジタル放送信号の周波数を指示する選局器と、所定の日付情報を記憶し選局器へリパッキング完了通知を出力する日付監視器と、を具備し、選局器はリパッキング完了通知に応じて処理対象の周波数範囲を変更する。【選択図】図１
2011049714.tif 000002
【特許請求の範囲】
【請求項１】
所望の周波数の地上波デジタル放送信号を受信するチューナと、
受信された前記地上波デジタル放送信号のＯＦＤＭ復調を行い、ＭＰＥＧトランスポートストリームとして出力する復調器と、
前記ＭＰＥＧトランスポートストリームをデコードし映像信号及び音声信号を出力すると共に、ＭＰＥＧシステムストリームを出力する復号器と、
前記ＭＰＥＧシステムストリームに基づいて、放送局を判別する放送局判別器と、
判別された前記放送局に関する情報を蓄積するチャンネルリスト蓄積器と、
前記チューナに対して、受信する地上波デジタル放送信号の周波数を指示する選局器と、
所定の日付情報を記憶し、前記選局器へリパッキング完了通知を出力する日付監視器と、を具備し、
前記選局器は、前記リパッキング完了通知に応じて、処理対象の周波数範囲を変更することを特徴とするデジタル放送受信装置。
【請求項２】
所望の周波数の地上波デジタル放送信号を受信するチューナと、
受信された前記地上波デジタル放送信号のＯＦＤＭ復調を行い、ＭＰＥＧトランスポートストリームとして出力する復調器と、
前記ＭＰＥＧトランスポートストリームをデコードし映像信号及び音声信号を出力すると共に、ＭＰＥＧシステムストリームを出力する復号器と、
前記ＭＰＥＧシステムストリームに基づいて、放送局を判別する放送局判別器と、
判別された前記放送局に関する情報を蓄積するチャンネルリスト蓄積器と、
前記チューナに対して、受信する地上波デジタル放送信号の周波数を指示する選局器と、
ユーザ操作によって、処理対象の周波数範囲を設定する周波数範囲設定器と、を具備し、
前記選局器は、処理対象の周波数範囲を、前記周波数範囲設定器で設定された前記周波数範囲に変更することを特徴とするデジタル放送受信装置。
【請求項３】
所望の周波数の地上波デジタル放送信号を受信するチューナと、
受信された前記地上波デジタル放送信号のＯＦＤＭ復調を行い、ＭＰＥＧトランスポートストリームとして出力する復調器と、
前記ＭＰＥＧトランスポートストリームをデコードし映像信号及び音声信号を出力すると共に、ＭＰＥＧシステムストリームを出力する復号器と、
前記ＭＰＥＧシステムストリームに基づいて、放送局を判別する放送局判別器と、
判別された前記放送局に関する情報を蓄積するチャンネルリスト蓄積器と、
前記チューナに対して、受信する地上波デジタル放送信号の周波数を指示する選局器と、
所定の周波数において、地上波アナログ放送信号が存在するか否かを検出する地上波アナログテレビ放送検出器と、
前記地上波アナログ放送信号が所定期間以上検出されなかった場合に、リパッキング完了通知を出力するタイマーと、を具備し、
前記選局器は、前記リパッキング完了通知に応じて、処理対象の周波数範囲を変更する予ことを特徴とするデジタル放送受信装置。
【請求項４】
所望の周波数の地上波デジタル放送信号を受信するチューナと、
受信された前記地上波デジタル放送信号のＯＦＤＭ復調を行い、ＭＰＥＧトランスポートストリームとして出力する復調器と、
前記ＭＰＥＧトランスポートストリームをデコードし映像信号及び音声信号を出力すると共に、ＭＰＥＧシステムストリームを出力する復号器と、
前記ＭＰＥＧシステムストリームに基づいて、放送局を判別する放送局判別器と、
判別された前記放送局に関する情報を蓄積するチャンネルリスト蓄積器と、
前記チューナに対して、受信する地上波デジタル放送信号の周波数を指示する選局器と、
受信された前記地上波デジタル放送信号からリパッキング完了を示す情報を抽出した場合に、リパッキング完了通知を出力するリパッキング完了判定器と、を具備し、
前記選局器は、前記リパッキング完了通知に応じて、処理対象の周波数範囲を変更する予ことを特徴とするデジタル放送受信装置。
【発明の詳細な説明】
【技術分野】
【０００１】
本発明は、デジタル放送受信装置に関し、更に詳しくは、リパッキング後に使用されなくなった所定チャンネル（ｃｈ）を処理対象から除外することが可能なデジタル放送受信装置に関する。
【背景技術】
【０００２】
日本の地上波デジタルテレビ放送は、２００３年１２月から３大都市圏で本放送がはじまり、２０１１年７月２４日には、地上波アナログテレビ放送が停波する予定である。地上波デジタル放送の電波は、ＵＨＦ帯の１３ｃｈ〜６２ｃｈを使用しているが、地上波アナログテレビ放送が停波した後には、その空いた周波数を有効利用するべく、地上波デジタル放送の周波数が変更され（以降「リパッキング」と呼ぶ）、２０１２年７月２４日までには、地上波デジタル放送はＵＨＦの１３ｃｈ〜５２ｃｈでのみ運用され、５３ｃｈ〜６２ｃｈが別の用途へ明け渡されることが決まっている。
【０００３】
そして、リパッキングで地上波デジタル放送の周波数が変更されることに対して自動的に設定チャンネルをリパッキング後のチャンネルに自動的に変更するデジタル放送受信装置もある（例えば、特許文献１参照）。
【先行技術文献】
【特許文献】
【０００４】
【特許文献１】特開２００７−２９５３３４号公報
【発明の概要】
【発明が解決しようとする課題】
【０００５】
しかしながら、上記従来のデジタル放送受信装置は、あくまで固定のデジタル放送受信装置で、それまでに受信できていたことが条件であって、新規に設置されたデジタル放送受信装置や、移動体に搭載されたデジタル放送受信装置が対象ではなかった。そのため、新規に設置された場合や、電波状態が頻繁に変化したり、県をまたぐ移動をしたりすると、チャンネル設定そのものをすべてやり直さなければならないという課題があった。
【０００６】
また、チャンネル設定をおこなうためには、地上波デジタル放送が運用されているすべての周波数をスキャンする必要があり、非常に時間がかかってしまうという課題があった。特に、日本の地上波デジタル放送においては、２０１２年７月２４日以降は、１３ｃｈ〜５２ｃｈのみが使用されるということがわかっているが、現在の地上波デジタル放送受信装置は現在の地上波デジタル放送の運用にあわせて、１３ｃｈ〜６２ｃｈをかならずスキャンする仕様になっており、２０１２年７月２４日以降は、５３ｃｈ〜６２ｃｈのスキャンに無駄な時間を消費してしまうという課題があった。
【課題を解決するための手段】
【０００７】
上記課題を解決するために、本発明に係るデジタル放送受信装置は、リパッキングが完了する２０１２年７月２４日を監視する日付監視器を具備し、２０１２年７月２４日以降は、５３ｃｈ〜６２ｃｈを使用しないように選局器に指示することで、不必要なスキャンを抑止する。
【０００８】
また、本発明に係るデジタル放送受信装置は、リパッキングが完了したかどうかをユーザが判断し有効な周波数範囲を指示することが出来る周波数範囲設定器を具備し、２０１２年７月２４日にかかわらず、５３ｃｈ〜６２ｃｈが地上波デジタル放送に使用されていないことがわかれば、５３ｃｈ〜６２ｃｈを使用しないように選局器にユーザ操作により指示することで、不必要なスキャンを抑止する。
【０００９】
また、本発明に係るデジタル放送受信装置は、アナログテレビ放送が現在の計画通り、２０１１年７月２４日に停波しなかったばあい、リパッキングが２０１２年７月２４日に完了しなかった場合でも、適切なタイミングで対応できるようにするために、地上波アナログテレビ放送検出器を具備し、アナログテレビ放送の停波を検出し、停波検出から１年後にはリパッキングも完了したとみなして、５３ｃｈ〜６２ｃｈを使用しないように選局器に指示することで、不必要なスキャンを抑止する。
【００１０】
また、本発明に係るデジタル放送受信装置は、リパッキングが完了したことを告知する信号が送られてきた場合に、それを検出するリパッキング完了信号検出器を具備し、リパッキング完了後は５３ｃｈ〜６２ｃｈを使用しないように選局器に指示することで、不必要なスキャンを抑止する。
【発明の効果】
【００１１】
本発明のデジタル放送受信装置によれば、地上波デジタル放送のリパッキングが完了した後、使用されなくなった５３ｃｈ〜６２ｃｈを、処理対象から除外することにより、スキャン時間の短縮をおこなうことができる。
【００１２】
また、スキャンだけではなく、ユーザが物理チャンネルを直接指示する物理チャンネル選局、物理チャンネルを降順もしくは昇順に順次走査するチャンネルサーチ、受信可能な放送局が見つかるまで物理チャンネルを降順もしくは昇順に順次走査するチャンネルシーク、現在視聴中の放送局の同じ電波を別の周波数で放送している中継局を探すための中継局サーチ、現在視聴中の放送局と同じ系列局の別の放送局を探す系列局サーチ、緊急警報放送の監視、イベントリレーのリレー先番組のサーチなどの各選局関連の処理をおこなう場合にも、リパッキング完了以降は、５３ｃｈ〜６２ｃｈを対象から除外することにより、誤操作の防止や、処理時間の短縮とユーザレスポンスの向上を実現することができる。
【図面の簡単な説明】
【００１３】
【図１】本発明の実施形態１におけるデジタル放送受信装置の構成を説明するブロック図
【図２】本発明の実施形態２におけるデジタル放送受信装置の構成を説明するブロック図
【図３】本発明の実施形態３におけるデジタル放送受信装置の構成を説明するブロック図
【図４】本発明の実施形態４におけるデジタル放送受信装置の構成を説明するブロック図
【発明を実施するための形態】
【００１４】
以下本発明を実施するための最良の形態について、図面を参照しながら説明する。
【００１５】
（実施の形態１）
図１は本発明の実施の形態１におけるデジタル放送受信装置の構成を示すブロック図である。以下、図１を用いてデジタル放送受信装置の構成について説明する。
【００１６】
デジタル放送受信装置は、地上波デジタル放送の電波を受信するためのアンテナ１０１、所望の周波数の地上波デジタル放送の電波を同調するためのチューナ１０２、受信した地上波デジタル放送のＯＦＤＭ復調をおこないＭＰＥＧ２ＴＳを出力する復調器１０３、ＭＰＥＧ２ＴＳをデコードし映像信号や音声信号を出力すると共に、システムストリームを出力する復号器１０４、システムストリームのなかのＮＩＴやＢＩＴなどの識別子を解釈して放送局の判別をおこなう放送局判別器１０５、放送局判別器１０５によって判別された放送局の情報を蓄積するチャンネルリスト蓄積器１０６、チューナ１０２で同調する周波数を指示する選局器１０７、リパッキング完了予定日になったかどうかを判定する日付監視器１０８である。
【００１７】
以上の構成からなるデジタル放送受信装置における本発明の実施の形態１についてその動作を以下に説明する。
【００１８】
チューナ１０２は、選局器１０７から指示された周波数の電波を同調し、アンテナ１０１をつかって地上波デジタル放送を受信する。なお、アンテナ１０１及びチューナ１０２は、複数個用意され、ダイバーシティ構成をとってもよい。受信された放送波は、復調器１０３でＯＦＤＭ復調され、復号器１０４でＭＰＥＧ２ＴＳのストリームが解釈される。放送局判別器１０５では、ＭＰＥＧ２のシステムストリームに含まれるＮＩＴやＢＩＴなどの放送局の情報を抽出して解釈をおこない、その結果をチャンネルリスト蓄積器１０６に格納する。
【００１９】
スキャンをおこなうときには、選局器１０７で、地上波デジタル放送が運用されているＵＨＦの１３ｃｈ〜６２ｃｈのすべての周波数を順次切り替えていくことによって、受信可能な放送局を抽出し、チャンネルリスト蓄積器１０６にチャンネルリストを完成させることをおこなう。日本の地上波デジタル放送においては、２０１２年７月２４日までにリパッキングが完了し、ＵＨＦの５３ｃｈ〜６２ｃｈは他の用途に明け渡され、１３ｃｈ〜５２ｃｈのみが使用されることが決まっている。したがって、日付監視器１０８では、時計を監視し２０１２年７月２４日が経過したことをリパッキング完了通知として選局器１０７に通知する。選局器１０７では、日付監視器１０８からの通知をうけて、スキャンのときに選局する周波数範囲をＵＨＦの１３ｃｈ〜５２ｃｈに切り替える。日付監視器１０８で監視する時計は、一般の時計回路（図示せず）をもちいて実現しても良いが、地上波デジタル放送のシステムストリームの中に含まれるＴＯＴを用いても良い。なお、ＴＯＴの変わりに、ＧＰＳや電波時計など外部からえられる時刻情報をもちいてもよい。
【００２０】
このようにして、選局器１０７では、２０１２年７月２４日以降は、不要な周波数帯を指示しないようにすることで、スキャン時間の短縮を実現し、また他の用途で使用されているＵＨＦの５３ｃｈ〜６２ｃｈを受信することで誤動作する可能性を回避するものである。
【００２１】
また、スキャンだけではなく、ユーザが物理チャンネルを直接指示する物理チャンネル選局においても、２０１２年７月２４日以降、使用されないＵＨＦの５３ｃｈ〜６２ｃｈを指定してしまうといった誤操作を防ぐことができる。また、同様に物理チャンネルを降順もしくは昇順に順次走査するチャンネルサーチ機能をもつ受信機においては、２０１２年７月２４日以降、使用されないＵＨＦの５３ｃｈ〜６２ｃｈを走査するといった、不要な処理を抑止することができる。これは、受信可能な放送局が見つかるまで物理チャンネルを降順もしくは昇順に順次走査するチャンネルシークについても同様である。また、現在視聴中の放送局の同じ電波を、別の周波数で放送している中継局を探すための中継局サーチにおいて、スキャンの場合と同様に、ＵＨＦの１３ｃｈ〜６２ｃｈのすべての周波数を順次切り替えていくことをおこなっているが、２０１２年７月２４日以降、不要な周波数を走査することを抑止し、処理時間の短縮と応答性の向上を実現することができる。これは、現在視聴中の放送局と同じ系列局の別の放送局を探す系列局サーチにおいても同様である。また、緊急警報放送の監視、イベントリレーのリレー先番組のサーチなどの各選局関連の処理をおこなう場合も、同様に２０１２年７月２４日以降は、５３ｃｈ〜６２ｃｈを走査対象から除外することにより、誤動作の防止や、処理時間の短縮とユーザレスポンスの向上を実現することができる。
【００２２】
（実施の形態２）
図２は本発明の実施の形態２におけるデジタル放送受信装置の構成を示すブロック図である。以下、図２を用いてデジタル放送受信装置の構成について説明する。
【００２３】
アンテナ２０１、チューナ２０２、復調器２０３、復号器２０４、放送局判別器２０５、チャンネルリスト蓄積器２０６、選局器２０７は、それぞれ、図１のアンテナ１０１、チューナ１０２、復調器１０３、復号器１０４、放送局判別器１０５、チャンネルリスト蓄積器１０６、選局器１０７と同じものである。周波数範囲設定器２０８は、ユーザの操作により、選局器２０７で選局する周波数の範囲を設定するものである。
【００２４】
以上の構成からなるデジタル放送受信装置における本発明の実施の形態２についてその動作を以下に説明する。
【００２５】
周波数範囲設定器２０８は、選局器２０７で選局する周波数の範囲を設定するために、たとえば設定メニューのような操作画面をもちいて、ユーザが「１３ｃｈ〜６２ｃｈ」か「１３ｃｈ〜５２ｃｈ」を選択することができるものである。その選択にしたがって、２０７の選局器は選局する範囲を決める。なお、周波数範囲設定器２０８の設定メニューで提示する選択肢は、「リパッキング完了しましたか？」という問いかけに対して「はい」／「いいえ」で選択させるものでも良い。
【００２６】
このようにすることによってリパッキングが計画通りに２０１２年７月２４日までに完了しなかった場合に受信機で５３ｃｈ〜６２ｃｈの放送が受信できなくなるという誤動作を防止することができる。なお、周波数範囲設定器２０８の設定メニューで直接ユーザに数値で任意の周波数範囲を設定させるものでもよい。また、リパッキングに関係なく、現在位置で受信できる放送波の周波数範囲があらかじめ分かっている場合には、スキャンや中継局サーチの時間を短縮する目的で、わざと選局範囲をしぼるために下限を１３ｃｈ、上限を５２ｃｈに関係なく任意の数値を設定しても良い。この実施の形態２においても、実施の形態１と同様に、スキャン以外の選局関連の処理について誤動作の防止や、処理時間の短縮を実現することができる。
【００２７】
（実施の形態３）
図３は本発明の実施の形態３におけるデジタル放送受信装置の構成を示すブロック図である。以下、図３を用いてデジタル放送受信装置の構成について説明する。
【００２８】
アンテナ３０１、チューナ３０２、復調器３０３、復号器３０４、放送局判別器３０５、チャンネルリスト蓄積器３０６、選局器３０７は、それぞれ、図１のアンテナ１０１、チューナ１０２、復調器１０３、復号器１０４、放送局判別器１０５、チャンネルリスト蓄積器１０６、選局器１０７と同じものである。地上波アナログテレビ放送検出器３０８は、地上波アナログ放送が停波したことを検出する。タイマー３０９は、地上波アナログテレビ放送検出器３０８で地上波アナログテレビ放送が一定期間以上検出できなかったことを計測して、選局器３０７へ通知する。
【００２９】
以上の構成からなるデジタル放送受信装置における本発明の実施の形態３についてその動作を以下に説明する。
【００３０】
地上波アナログテレビ放送検出器３０８は、ＶＨＦ帯の１ｃｈ〜１２ｃｈおよび、ＵＦＨ帯の１３ｃｈ〜６２ｃｈについて、地上波アナログテレビ放送の電波が存在するかどうかを検出することができるものである。もしアンテナ３０１がＶＨＦ帯域までカバーできないものであれば、地上波アナログテレビ放送検出器３０８には別途専用のアンテナを用意してもよい。地上波アナログテレビ放送検出器３０８は、地上波アナログテレビ放送の有無を検出するために定期的に動作し、その結果をタイマー３０９へ通知する。タイマー３０９では、地上波アナログテレビ放送検出器３０８から通知された地上波アナログ放送の電波の有無の情報を記録し、たとえば１年間以上継続して、地上波アナログ放送が検出されなかった場合に、地上波アナログ放送が停波し、かつリパッキングも完了したとみなす。タイマー３０９で前記条件が成立した場合、選局器３０７にリパッキング完了通知を通知し、選局器３０７では処理対象の周波数を１３ｃｈ〜６２ｃｈから１３ｃｈ〜５２ｃｈに切り替える。
【００３１】
このようにすることによって、地上波アナログ放送の停波が現在の計画通りの２０１１年７月２４日におこなわれなかった場合でも、実際のアナログ停波を検出することができ、そこから１年間でリパッキングが完了する計画がその通りおこなわれる場合には、リパッキング完了に合わせて自動的に選局器における周波数帯のきりかえをおこなうことができるものである。
【００３２】
この実施の形態３においても、実施の形態１と同様に、スキャン以外の選局関連の処理について誤動作の防止や、処理時間の短縮を実現することができる。
【００３３】
（実施の形態４）
図４は本発明の実施の形態４におけるデジタル放送受信装置の構成を示すブロック図である。以下、図４を用いてデジタル放送受信装置の構成について説明する。
【００３４】
アンテナ４０１、チューナ４０２、復調器４０３、復号器４０４、放送局判別器４０５、チャンネルリスト蓄積器４０６、選局器４０７は、それぞれ、図１のアンテナ１０１、チューナ１０２、復調器１０３、復号器１０４、放送局判別器１０５、チャンネルリスト蓄積器１０６、選局器１０７と同じものである。リパッキング完了判定器４０８は、地上波デジタル放送のリパッキングが完了したことを判定し、その判定結果を選局器４０７に通知する。
【００３５】
以上の構成からなるデジタル放送受信装置における本発明の実施の形態４についてその動作を以下に説明する。
【００３６】
地上波デジタル放送において、放送周波数が変更になる場合にはＳＤＴＴをもちいて事前に変更に関する情報が、放送波に多重されて送信される。復号器４０４は、復調された信号のなかからＳＤＴＴを抽出し、リパッキング完了判定器４０８に送信する。リパッキング完了判定器４０８は、ＳＤＴＴのなかから、放送局の周波数変更に関する情報を抽出し、リパッキングの完了時期を検出する。ここで日本全国でのリパッキングの計画が完了する日をもって完了とし、その日付になったときに、選局器４０７に通知する。なお、リパッキング完了判定器４０８においては、リパッキングの完了を検出するのではなく、使われなくなった周波数帯の変化を随時選局器４０７に通知し、選局対象からはずすことをおこなってもよい。また、現在位置にしたがって、その地域で利用されている周波数帯を選局器４０７に通知してもよい。
【００３７】
この実施の形態４においても、実施の形態１と同様に、スキャン以外の選局関連の処理について誤動作の防止や、処理時間の短縮を実現することができる。
【産業上の利用可能性】
【００３８】
本発明のデジタル放送受信装置は、日本国内の地上デジタル放送を受信するすべての装置において、スキャン時間の短縮や、選局対象範囲の正確な指定を促すものであり、家庭用の固定デジタル放送受信装置や、携帯電話に内蔵されるワンセグ放送受信機のような移動体のデジタル放送受信装置においても有用である。
【符号の説明】
【００３９】
１０１、２０１、３０１、４０１    アンテナ
１０２、２０２、３０２、４０２    チューナ
１０３、２０３、３０３、４０３    復調器
１０４、２０４、３０４、４０４    復号器
１０５、２０５、３０５、４０５    放送局判別器
１０６、２０６、３０６、４０６    チャンネルリスト蓄積器
１０７、２０７、３０７、４０７    選局器
１０８    日付監視器
２０８    周波数範囲設定器
３０８    地上波アナログテレビ放送検出器
３０９    タイマー
４０８    リパッキング完了判定器
【図１】
2011049714.tif 000003
【図２】
2011049714.tif 000004
【図３】
2011049714.tif 000005
【図４】
2011049714.tif 000006